(57)【要約】【課題】  導光板、拡散シート、プリズムシートにより順次光路変換して照明光を出射するバックライトにおいて、従来は照明光の輝度のピーク値に対応する出射角が正面からかなりずれた値となり、照明の正面方向における輝度が低下するという問題を改善する。【解決手段】  ＬＥＤ等の発光源２、導光板１、拡散シート３、下プリズムシート４、上プリズムシート５とを有するバックライト１０の前記拡散シート３とプリズムシート４、５による集光作用を補足するためにこれらに付加して配置され、光の方向を正面方向に補正する作用を有するベンディングシート７において、該ベンディングシート７はその上面に、ＸＺ面で見た場合に、右下がりの緩やかな傾斜のプリズム面を有する複数のプリズム７ｐを形成されているように構成する。【選択図】  図２
2008083230.tif 000002
【特許請求の範囲】
【請求項１】
ＬＥＤ等の発光源、導光板、拡散シート、下プリズムシート、上プリズムシートとを有するバックライトの前記拡散シートとプリズムシートによる集光作用を補足するためにこれらに付加して配置され、光の方向を正面方向に補正する作用を有するベンディングシートにおいて、該ベンディングシートはその上面に、ＸＺ面で見た場合に、右下がりの緩やかな傾斜のプリズム面を有する複数のプリズムが形成されていることを特徴とするベンディングシート。
【請求項２】
ＬＥＤ等の発光源、導光板、拡散シート、下プリズムシート、上プリズムシートを有するバックライトの前記拡散シートとプリズムシートによる集光作用を補足するためにこれらに付加して配置され、光の方向を正面方向に補正する作用を有するベンディングシートにおいて、該ベンディングシートはその下面に、ＸＺ面で見た場合に、右上がりの緩やかな傾斜のプリズム面を有する複数のプリズムが形成されていることを特徴とするベンディングシート。  
【請求項３】
ＬＥＤ等の発光源、導光板、拡散シート、下プリズムシート、上プリズムシートを有するバックライトの前記拡散シートとプリズムシートによる集光作用を補足するためにこれらに付加して配置され、光の方向を正面方向に補正する作用を有するベンディングシートにおいて、該ベンディングシートはその上面に、ＸＺ面で見た場合に、右下がりの緩やかな傾斜のプリズム面を有する複数のプリズムが形成され、その下面に、右上がりの緩やかな傾斜のプリズム面を有する複数のプリズムが形成されていることを特徴とするベンディングシート。
【請求項４】
前記ベンディングシートは複数個が前記バックライトにおいて配置されることを特徴とする請求項１乃至請求項３のいずれかに記載のベンディングシート。
【請求項５】
前記ベンディングシートは前記バックライトにおいて、導光板と拡散シートの間、又は拡散シートと下プリズムシートの間に配されることを特徴とする請求項１乃至請求項４のいずれかに記載のベンディングシート。
【請求項６】
ＬＥＤ等の発光源、導光板、拡散シート、プリズムシートを有するバックライトの前記プリズムシートのうち、ＸＺ面で見た場合に、上面にプリズムの凹凸が形成されているプリズムシート（上プリズムシート）において、該プリズムシートはその下面に、集光作用を補足するために、ＸＺ面で見た場合に、右上がりの緩やかな傾斜のプリズム面を有する複数のプリズムが形成されていることを特徴とするプリズムシート。
【請求項７】
ＬＥＤ等の発光源、導光板、拡散シート、プリズムシートを有するバックライトにおいて導光板、請求項１乃至請求項３のいずれかに記載のベンディングシートと併用されることを特徴とする請求項６に記載のプリズムシート。
【請求項８】
ＬＥＤ等の発光源、導光板、拡散シート、プリズムシートを有するバックライトの前記拡散シートにおいて、該拡散シートは集光作用を補足するために、その上面、下面のいずれか一方または両方にＸＺ面で見た場合に緩やかに傾斜するプリズム面を有する複数のプリズムが形成されていることを特徴とする拡散シート。
【請求項９】
ＬＥＤ等の発光源、導光板、拡散シート、プリズムシートを有するバックライトにおいて、請求項１乃至請求項３のいずれかに記載のベンディングシートと併用されることを特徴とする請求項８に記載の拡散シート。
【発明の詳細な説明】
【技術分野】
【０００１】
本発明は、例えば液晶パネルのような表示装置の背面より、表示のための照明光を照射し、表示させるバックライトに関し、特にＬＥＤ等の発光源と光路変換手段として、導光板、拡散板、プリズムシート等を備えたバックライトにおいて付加的に使用され、バックライトの照明光の指向性のズレを補正する作用をなす、ベンディングシートと称する光路修正手段等に関する。
【背景技術】
【０００２】
近年、ノートブック型のコンピュータ又は携帯電話機、携帯ＴＶのような小型、薄型の情報機器の表示装置として、薄型の照明機構を有する液晶表示装置が用いられている。このような液晶表示用の照明機構として、面状の照明用光束を出射するバックライトが従来より知られている。このようなバックライトとして、発光源としてＬＥＤを使用し、導光板と、拡散板とプリズムシートを用いたものが知られている（例えば、特許文献１参照）。  
【特許文献１】特開２００３−３３７３３号公報  図１７
【０００３】
上記の特許文献１において、１２０はバックライト（バックライトユニット）であり、白色ＬＥＤ１０２、導光板１０１、拡散板１０３、Pｙプリズムシート１０４（下プリズムシート）、Pｘプリズムシート１０５（上プリズムシート）、反射板１０６により構成される。１０７はカラー表示用の透過型もしくは半透過型のＬＣＤ（液晶表示板）である。このような構成において、ＬＥＤ１０２から導光板１０１に入射して内部光となった光は導光板１０１の上下面の間で反射を繰り返しながら導光板１０１内を伝播し、その間に導光板１０１の上面より面状の光を出射する。この出射光拡散板１０３、Pｙプリズムシート１０４、Pｘプリズムシート１０５を順次経て、垂直な方向（Z方向）の光束に方向を修正されて照明光として液晶表示板１０７に入射し、液晶表示に必要な照明を行う。
【０００４】
説明の便宜上、従来例と実質的に同一のバックライトを図１３、図１４に示し説明を行う。図１３は従来のバックライト２２０の斜視図であり、図１４はその側面図（ＸＺ面図）である。図１４には液晶表示板２０７の配置も示してある。図１３及び図１４において、２０２はＬＥＤ、２０１は導光板、２０３は拡散板、２０４は下プリズムシート、２０５は上プリズムシート、２０６は反射シート、２０７は液晶表示板である。図１４に示すように、液晶表示板２０７以外の部材によりバックライト２２０が構成される。図１４に示すように、ＬＥＤ２０２で発光した光は導光板２０１のＬＥＤ２０２に対向する側面である入光側面２０１ｃから導光板２０１に入射し、導光板２０１内で反射を繰り返して伝播される。その際導光板２０１の下面２０１ｂに設けられた溝（例えばプリズム状の溝）等の凹凸によって反射、屈折した光が導光板２０１の上面２０１ａから出射される。導光板２０１から出射した光は拡散板２０３、下プリズムシート２０４、上プリズムシート２０５によって集光され、バックライトの２２０の上方に出射し、液晶表示板２０７へと向かい、液晶表示板２０７を照射する。なお、反射シート２０６は屈折により、導光板２０１の下面２０１ｂの下面より、下方に出射した光（図示を省略）を反射して再び導光板２０１の内部に入射させ、光の利用効率を高める作用をなす。
【０００５】
しかしながら、このようにして導光板２０１の上面２０１ａから出射される出射光のＸＺ面における出射角の実質的な分布の範囲は例えば図１７（ａ）に示すように、＋５０°〜＋９０°の範囲で分布し、＋７０°が輝度のピーク値の方向となっている。これは、図１４示すように、ＸＺ面においては、導光板２０１の上面２０１ａから出射する出射光を生ずる内部光（点線で示す）の実質的な入射角は＋３０°〜＋４０°の範囲で分布していると見なされるからである（＋４０°以上の場合は導光板２０１の屈折率を１．５５としたときの臨界角θｃ以上となり、無関係となる。）。そして、参考までに、導光板２０１の界面の外側の光線の角度（この場合は出射角）をθｉ、界面の内側の光線の角度（この場合は内部光の入射角）をθｒとし、導光板２０１の屈折率をｎとしたときは、スネルの法則により、
ｓｉｎθｒ＝ｎｓｉｎθｉ・・・・（１）
が成立つ。そして、（１）式において、  ｎ＝１．５５  としたときのθｒとθｉの数値の関係を図１５のグラフに示す。図１５より、導光板２０１内の入射角θｉが
＋３０°〜＋４０°  なったとき、空気中の出射角θｉは  ＋５０°〜＋９０°となることがわかる。    
次に、導光板２０１からの出射光は拡散板２０３に入射し（図１４参照）、拡散板２０３の集光作用により、例えば図１７（ｂ）に示すように、＋４５°〜＋７５°の角度範囲を有する出射光となり、角度範囲がいくらかＺ方向に近づく。ここで＋６０°が輝度のピーク値の方向となっている。
【０００６】
このような角度分布を持った光線が、拡散板２０３から下プリズムシート２０４（ＸＺ面における光の方向には影響しない。）を経て上プリズムシート２０５に入射する（図１４参照）。上プリズムシート２０５に入射した光線はＸＺ面から見た場合は、上プリズムシート２０５上面のプリズム面の屈折作用等により、下面に対する入射角よりも、小さな角度の出射角の出射光を出射する。そして、この出射角は下面における入射角の大小に応じて変化する。この原理を上プリズムシート２０５の拡大図である図１６を用いて説明する。図１６に示すように、上プリズムシート２０５の上面のプリズム２０５ａのプリズム面の傾斜角が例えばＺ軸から３０°である場合について考える。拡散板２０３からの光線ｓ１が上プリズムシート２０５の下面２０５ｂに入射角θ１で入射し、屈折により角度θ２の内部光ｓ２とり、これがプリズム２０５ａのプリズム面から上方に出射光ｓ３としてＺ方向に対する出射角θ３で出射する場合を考える。ここで出射光ｓ３はバックライト２２０（図１４参照）の最終的な照明光となるものである。今、上プリズムシート２０５の屈折率を  ｎ＝１．５５  とする。ここで、前記の（１）式および図１５を参酌して、光線ｓ１の入射角θ１が、夫々４５°、６０°、７５°である場合（前記の拡散板２０３からの出射光に対応するもの）の、θ２、θ３を順次を求めた結果、θ３は夫々０°、１５°、２５°となることがわかる。すなわち、図１７（ｃ）に示すように上プリズムシート２０５からの出射光（すなわち照明光）の出射角は０°〜＋２５°の巾に分布している。ここで＋１５°が輝度のピーク値の方向となっている。
このように照明光の輝度のピーク値が出射角が正面方向から外れて、例えば＋１０°を超える部分を多く含むようになると、照明光の正面方向に対する明るさ低下は無視できないものとなる。そしてこのことによりＬＣＤ２０７の表示の明るさが低下し表示の品質を低下させることとなる。
以上は、具体的な事例につき、数値例を上げて説明したが、これに限らず、従来のバックライト（図１３のバックライト２２０に類するもの）においては、本質的に同様の原理により、同様の問題を生じていた。  
【発明の開示】
【発明が解決しようとする課題】
【０００７】
上記したように、図１１に示すように導光板（２０１）、拡散シート（２０３）、プリズムシート（２０４、２０５）を有する従来のバックライト（２２０）においては、照明光の輝度のピーク値に対応する出射角が正面からある程度ずれた値となり、照明の正面方向における輝度を低下させることとなる。
本発明はこのような問題を解決し、バックライトの正面輝度の低下を防止し、ＬＣＤ等の被照明体に対し、実質的に明るい照明光を照射できるように、バックライトの構成を改善することを課題とするものである。
【課題を解決するための手段】
【０００８】
上記の課題を解決するためにその第1の手段として本発明は、ＬＥＤ等の発光源、導光板、拡散シート、下プリズムシート、上プリズムシートとを有するバックライトの前記拡散シートとプリズムシートによる集光作用を補足するためにこれらに付加して配置され、光の方向を正面方向に補正する作用を有するベンディングシートにおいて、該ベンディングシートはその上面に、ＸＺ面で見た場合に、右下がりの緩やかな傾斜のプリズム面を有する複数のプリズムが形成されていることを特徴とする。
【０００９】
上記の課題を解決するためにその第２の手段として本発明は、ＬＥＤ等の発光源、導光板、拡散シート、下プリズムシート、上プリズムシートを有するバックライトの前記拡散シートとプリズムシートによる集光作用を補足するためにこれらに付加して配置され、光の方向を正面方向に補正する作用を有するベンディングシートにおいて、該ベンディングシートはその下面に、ＸＺ面で見た場合に、右上がりの緩やかな傾斜のプリズム面を有する複数のプリズムが形成されていることを特徴とする。
【００１０】
上記の課題を解決するためにその第３の手段として本発明は、ＬＥＤ等の発光源、導光板、拡散シート、下プリズムシート、上プリズムシートを有するバックライトの前記拡散シートとプリズムシートによる集光作用を補足するためにこれらに付加して配置され、光の方向を正面方向に補正する作用を有するベンディングシートにおいて、該ベンディングシートはその上面に、ＸＺ面で見た場合に、右下がりの緩やかな傾斜のプリズム面を有する複数のプリズムが形成され、その下面に、右上がりの緩やかな傾斜のプリズム面を有する複数のプリズムが形成されていることを特徴とする。
【００１１】
上記の課題を解決するためにその第４の手段として本発明は、前記第1の手段乃至第3の手段のいずれかのベンディングシートにおいて、前記ベンディングシートは複数個が前記バックライトにおいて配置されることを特徴とする。
【００１２】
上記の課題を解決するためにその第５の手段として本発明は、前記第1の手段乃至第４の手段のいずれかのベンディングシートにおいて、そのベンディングシートは前記バックライトにおいて、導光板と拡散シートの間、又は拡散シートとの間に配されることを特徴とする。
【００１３】
上記の課題を解決するためにその第６の手段として本発明は、ＬＥＤ等の発光源、導光板、拡散シート、プリズムシートを有するバックライトの前記プリズムシートのうち、ＸＺ面で見た場合に、上面にプリズムの凹凸が形成されているプリズムシート（上プリズムシート）において、該プリズム拡散シートはその下面に、集光作用を補足するために、ＸＺ面で見た場合に、右上がりの緩やかな傾斜のプリズム面を有する複数のプリズムが形成されていることを特徴とする。
【００１４】
上記の課題を解決するためにその第７の手段として本発明は、ＬＥＤ等の発光源、導光板、拡散シート、プリズムシートを有するバックライトにおいて、第６の手段に係るプリズムシートは、第1の手段乃至第3の手段のいずれかのベンディングシートと併用されることを特徴とする。
【００１５】
上記の課題を解決するためにその第８の手段として本発明は、ＬＥＤ等の発光源、導光板、拡散シート、プリズムシートを有するバックライトの前記拡散シートにおいて、該拡散シートは集光作用を補足するために、その上面、下面のいずれか一方または両方に緩やかに傾斜するプリズム面を有する複数のプリズムが形成されていることを特徴とする。
【００１６】
上記の課題を解決するためにその第９の手段として本発明は、前記第８の手段に係る拡散シートはＬＥＤ等の発光源、導光板、拡散シート、プリズムシートを有するバックライトにおいて、前記第1の手段１乃至第3の手段のいずれかのベンディングシートと併用されることを特徴とする。
【発明の効果】
【００１７】
前記第1の手段乃至第５の手段に係るベンディングシートをバックライトに使用することにより、当該ベンディングシートの光を曲げる作用を利用して、バックライトの照明光の輝度のピークの正面方向からのズレを効果的に補正、減少し、バックライトの照明光の輝度のピーク値の方向を正面方向と一致又は略一致させて照明光の正面方向の明るさを向上させることができる。
【００１８】
前記第６の手段又は第７の手段に係るプリズムシートをバックライトに使用することにより、プリズムシートにおける集光作用が強化され、バックライトの照明光の輝度のピークの正面方向からのズレを効果的に補正、減少し、バックライトの照明光の輝度のピーク値の方向を正面方向と一致又は略一致させて照明光の正面方向の明るさを向上させることができる。
【００１９】
前記第８の手段又は第９の手段に係る拡散シートをバックライトに使用することにより、プリズムシートにおける集光作用が強化され、バックライトの照明光の輝度のピークの正面方向からのズレを効果的に補正、減少し、バックライトの照明光の輝度のピーク値の方向を正面方向と一致又は略一致させて照明光の正面方向の明るさを向上させることができる。
【発明を実施するための最良の形態】
【００２０】
ＬＥＤ等の発光源、導光板、拡散シート、プリズムシートを有するバックライトの前記拡散シートとプリズムシートによる集光作用を補足するためにこれらに付加して配置され、光の方向を正面方向に補正する作用を有するベンディングシートにおいて、該ベンディングシートをその上面に、ＸＺ面で見た場合に、右下がりの緩やかなプリズム面を有する複数のプリズムが形成されるように構成し、当該ベンディングシートの光を曲げる作用を利用して、バックライトの照明光の輝度のピークの正面方向からのズレを効果的に補正、減少し、バックライトの照明光の輝度のピーク値の方向を正面方向と一致又は略一致させて照明光の正面方向の明るさを向上させる。  
【実施例１】
【００２１】
以下に、図面を参照して本発明の実施例１について説明する。図１は実施例１に係るベンディングシートを有するバックライト１０を示す斜視図である。図２は図１に示したバックライト１０のＹＺ側面図を示す図である。図２にはＬＣＤ（液晶表示板）の配置も示してある。図１及び図２において、２はＬＥＤ、１は導光板、３は拡散シート、４は下プリズムシート、５は上プリズムシート、６は反射シート、７はベンディングシートでありこれらによりバックライト１０が構成される、図２に示す８はＬＣＤ（液晶表示板）である。ここで、図１、図２の方向の基準となるＸ、Y、Z軸は互いに直交し、Ｚは垂直方向、Ｙは導光板１の入光側面１ｃ（後述する。）に平行な方向、Ｘは水平面内において、Ｙと直交する方向を示す軸である。ここで、導光板１に対向する上方の位置に拡散シート３が配され、拡散シート３上方にベンディングシート７、下プリズムシート４、上プリズムシート５が順次配されている。図２に示すように、ＬＥＤ２で発光した光は導光板１のＬＥＤ２に対向する側面である入光側面１ｃから導光板１に入射し、導光板１内で反射を繰り返して伝播される。その際、導光板１の下面１ｂに設けられたプリズム溝等の凹凸によって反射又は屈折した光が導光板１の上面１ａから出射される。導光板１から出射した光は、拡散シート３、ベンディングシート７、下プリズムシート４、上プリズムシート５によって順次集光され、バックライトの１０の上方に出射し、液晶表示板８へと向かい、液晶表示板８を照射する。なお、反射シート６は屈折により、導光板１の下面１ｂの下面より、下方に出射した光（図示を省略）を反射して再び導光板１の内部に入射させ、光の利用効率を高める作用をなす。
【００２２】
図３は上記ベンディングシート７の作用を示す拡大した側面図である。図３に示すように、ベンディングシート７の上面７ａには複数のプリズム溝７ｐが形成されている。このプリズム溝はＹ方向（導光板の前記入光側面１ｃに平行な方向）に稜線を有し、ＸＺ面において右下がりに１０°傾斜したプリズム面を有している。そして、ベンディングシート７の下面７ｂは水平な平滑面となっている。今、図示するように下面７ｂに対し入射光線ｓ１が入射角θ１で入射し、これが屈折により角度θ２の内部光ｓ２となり、光線ｓ２がプリズム７ｐの面において屈折され、出射角θ３の出射光ｓ３として出射する場合を考える。これに先立って、上記のベンディングシート７のベンディングシート７の下面７ｂに対入射するｓ１の入射角θ１について説明する。図７は本願発明に係るバックライト１０（図２参照）の各部材からの出射光の角度の範囲を示す図であり、当初、導光板１からの出射光は図７（ａ）に示すように、５０°〜９０°の範囲にあったものが、拡散シート３を経ることにより、図７（ｂ）に示すように出射光の角度範囲が４５°〜７５°（輝度のピークの角度は６０°）となる。そしてこの出射光が図３に示す入射光線ｓ１としてベンディングシート７の下面７ｂに対し入射角θ１で入射することとなる。そこで、θ１として拡散シート３からの出射光の角度の範囲４５°〜７５°内にある角度４５°、６０°、７５°を用い、ベンディングシート７の屈折率ｎ  をｎ＝１．５５  として、（１）式および図１５を用いて、図３に示すθ２、θ３の値を順次求める。この結果は、θ１がそれぞれ４５°、６０°、７５°であるときに、これらに対応してθ２はそれぞれ２７°、３２°、４５°となり、θ３はそれぞれ３５°、４５°、５５°となり、入射角であるθ１に対し、出射角θ３の値は全て減少する（図３の表参照）。この結果ベンディングシート７の出射光の角度範囲は図７（ｃ）に示すように、３５°〜５５°（輝度のピークの角度は４５°）となり、図７（ｂ）に示す拡散シート３の出射光の角度範囲４５°〜７５°よりもＺ方向に近づくとともに、角度の巾も狭くなっている。
【００２３】
このような集光作用は図３に示すようにベンディングシート７の上面に形成されたプリズム溝７ｐの作用によるものである。ちなみに、図４に示す平行平板１２の場合は入射光ｓ１の入射角と出射光ｓ３の出射角は共に等しくθ１となり、集光作用は生じない。
【００２４】
図５はベンディングシート７に関連して上プリズムシート５の作用を説明するための図である。上プリズムシート５はベンディングシート７を有するバックライト１０（図２参照）の構成要素の１つであり、最終的な照明光は上プリズムシート５から出射する。すなわち図５に示すように、ベンディングシート７に入射角θ１で入射した光線S１は、すでに説明したように出射角がθ３の光線ｓ３としてベンディングシート７を出射するが、光線ｓ３は方向を変えることなく下プリズムシート４（ＸＺ面における光の方向には影響しない。）を経て上プリズムシート５の下面５ｂに達し、この面に対しθ３の入射角で入射する。そして、ｓ３は下面５ｂにおける屈折を経て上プリズムシート５内部では光線ｓ４となり、この光線ｓ４が、上プリズムシート５の上面のプリズム５ｐのプリズム面に入射し、ここで屈折作用により方向が変えられ光線ｓ５として上方に出射する。この光線ｓ５がバックライト１０の最終的な照明光としての光線となる。図６は前記の上プリズムシート５における光線の作用を示す拡大図である。ここで、上プリズムシート５のプリズム５ｐのプリズム面の傾斜角がＺ軸に対し３０°であり、上プリズムシート５の屈折率ｎは
ｎ＝１．５５であるとする。
【００２５】
今、内部光ｓ４のＺ軸に対する傾斜角をθ４、出射光ｓ５のＺ軸に対する傾斜角をθ５とし、光線ｓ３の入射角θ３から（１）式に基づいて、又図１５を参照して、θ４、θ５を順次求める。今、図７（ｃ）に示すベンディングシート７の出射角の範囲に含まれる角度、３５°、４５°、５５°を夫々θ３としたときにθ４は夫々２２°、２７°、３２°となり、θ５は夫々  ―１０°、０°、１１°となる（図６の表を参照）。
ここで、θ５はプリズムシート５の出射光である照明光ｓ５の出射角であり、この上プリズムシート５からの出射光の角度の範囲すなわち照明光の角度の範囲は図７（ｄ）に示すように、―１０°〜１１°となる。ここで輝度のピーク値となる光線の角度は０°となり、正面方向と一致する。すなわち、照明光の輝度のピーク値は正面方向と一致し、又、照明光の角度の分布は正面方向（Ｚ方向）ほぼ左右対称に略１０°の範囲に入るので、図１７（ｃ）に示したような従来例におけるような照明光の角度の正面方向からのズレは大幅に改善され、この結果、照明光の正面方向における輝度の低下は大幅に改善され、正面方向における輝度の高い明るい照明光を照射するバックライトを実現することができる。
【００２６】
このように、第1の実施例に係るベンディングシート７をバックライト１０に使用することにより、従来のバックライトの欠点が解消、又は改善され、正面方向における輝度の高い明るい照明光を照射するバックライトを実現することができる。なお、図３に示したベンディングシート７においては、その上面に形成したプリズム溝７ｐは右上がりに１０°傾斜するプリズム面を有しているが。本発明はこれに限らず、当該プリズム面として右下がりに緩やかに傾斜するものを備えたベンディングシートにおいても同様の効果を有するものである。
【００２７】
なお、図１に示したバックライト１０においては、ベンディングシート７を拡散シート３と下プリズムシート４の間に配置したが、本発明に係るベンディングシート７の配置はこれに限られるものではなく、導光板１と拡散板３の間に配置し、又は下プリズムシート４と上プリズムシート５の間に配置しても、上記と同様の効果を得ることが出来る。
又、ベンディングシート７は１個に限らず複数個配することも可能である。
【実施例２】
【００２８】
以下本発明の実施例２に係るベンディングシートについて図面を用いて説明する。図８は本発明の実施例２に係るベンディングシート１７のＸＺ断面を示す図である。図８に示すように、ベンディングシート１７の上面１７ａは水平な平滑面となっている。そしてその下面には複数のプリズム溝１７ｐが形成されている。このプリズム溝１７ｐはＹ方向（導光板の前記入光側面１ｃに平行な方向）に稜線を有し、ＸＺ面において右上がりに１０°傾斜したプリズム面を有している。今、図示するように下面のプリズム溝１７ｐのプリズム面に、Z方向を基準としてθ１の入射角の光線ｓ１が入射した場合には、前記プリズム面の屈折作用により、ベンディングシート１７の内部において、角度θ２の光線ｓ２となり、この光線ｓ２は水平な上面１７ａに入射し、この面の屈折作用により角度θ３の出射角を有する光線ｓ３となって出射する。
ここで、入射角θ１が夫々、４５°、６０°、７５°である場合につき、すでに説明したのと同様の方法によりθ２とθ３を順次求めると、θ２については夫々２２°、２７°、３０°となり、θ３については夫々３５°、４５°、５２°となる（図８の表を参照）。すなわち、４５°〜７５°の角度範囲にあった光線がベンディングシート１７の集光作用より、３５°〜５２°の角度範囲の出射光となる。この効果は図３に示した実施例１に係るベンディングシート７の場合とほぼ同様である（図７（ｂ）、図７（ｃ）も参照のこと）。
【００２９】
なお、図８に示したベンディングシート１７においては、その上面に形成したプリズム溝１７ｐは右上がりに１０°傾斜するプリズム面を有しているが。本発明はこれに限らず、ベンディングシートの下面にプリズム溝を形成したものにおいて、当該プリズム面として右上がりに緩やかに傾斜するものを備えたベンディングシートにおいても同様の効果を有するものである。なお、バックライトにおけるベンディングシート１７の配置および個数に関しては、すでに実施例１に係るベンディングシート１７について説明したのと同様の自由度を有している。  
【実施例３】
【００３０】
以下に本発明の実施例３に係るベンディングシートについて図面を用いて説明する。
図９は本発明の実施例２に係るベンディングシート２７のＸＺ断面を示す図である。
図９に示すように、ベンディングシート２７の上面には右下がり例えば１０°の傾斜角のプリズム面を有する複数のプリズム２７ｐ１溝が形成され、ベンディングシート２７の下面には右上がりに例えば１０°の傾斜角のプリズム面を有する複数のプリズム溝２７ｐ２が形成されている。本実施例３に係るベンディングシート２７の集光作用は略、前記の実施例１に係るベンディングシート７（図３参照）と実施例２に係るベンディングシート１７（図８参照）の作用を重ね合わせたものとなり、これらよりも集光作用を強めることが出来る。すなわち、図９に示すベンディングシート２７の下面のプリズム溝２７ｐ２のプリズム面に入射角θ１で入射した光線ｓ１は屈折作用により、角度θ２の光線ｓ２となり、この光線ｓ２が上面のプリズム溝２７ｐ１のプリズム面に入射した後、屈折作用により角度θ３の光線ｓ３となるのであるが、例えば  θ１＝７５°の場合につき、すでに説明したのと同様の手法により、θ２、θ３の値を順次求めると、θ２＝３０°  θ３＝４２°となり、７５°の角度の入射光を４２°の角度の出射光とすることが出来る。このように、本実施例３に係るベンディングシート２７は、図３に示すベンディングシート７又は図８に示ベンディングシート１７のいずれよりもベンディングシートとしての集光力を高めることができる。なお、本実施例３に係るベンディングシート２７は導光板１（図２）からの出射光の出射角の分布の巾が１７（ａ）に示すものよりも更に＋９０°に向けて圧縮された狭い巾である場合に特に有効となる。
なお、本実施例３に係るベンディングシート２７の変形例として、図示は省略するが実施例１に係るベンディングシート７（図５参照）と実施例２に係るベンディングシート１７（図６参照）が2枚一組となったベンディングシートがあり、本実施例３に係るベンディングシート２７と同様の作用効果を有する。
【実施例４】
【００３１】
以下に本発明の実施例４に係る上プリズムシートを図面を用いて説明する。図１０は本発明の実施例４に係る上プリズムシート１５を有するバックライト２０のＸＺ断面を示す図である。バックライト２０は導光板１、ＬＥＤ２、拡散板３、下プリズムシート４、上プリズムシート１５、反射シート６よりなる。これを図２に示すバックライト１０と比較すると、バックライト１０からベンディングシート７を取り除くとともに、バックライト１０の上プリズムシート５を下面に緩い傾斜のプリズム面のプリズム１５ｐ２を有する変形された上プリズムシート１５に置き換えた構成となっている。
図１１は上記の上プリズムシート１５の部分拡大図である。図１１を用いて、この変形された上プリズムシート１５の作用を説明する。上プリズムシート１５はその上面に、図６示す上プリズムシート５と同様のプリズム１５ｐ１（Ｚ方向からの傾斜角３０°の左右対称のプリズム面を有するもの）が形成され、その下面には、図８に示すベンディングシート１７の下面のプリズム１７ｐと同様に、右上がりに１０°傾斜したプリズム面を有する一連のプリズム１５ｐ２が形成されている。
図１１に示す上プリズムシート１５の作用は、図６に示した説明した通常の上プリズムシート５の集光作用と図８に示す下面にプリズム１７ｐを有するベンディングシート１７の作用を重ね合わせた集光作用をなす。すなわち、変形された上プリズムシート１５の下面のプリズム１５ｐ２において、Z方向に対しθ１の角度で入射した光線ｓ１は、プリズム１５ｐ２における屈折作用により、角度θ２の内部光ｓ２となって、上面のプリズム１５ｐ１のプリズム面に入射し、ここで、屈折により、Ｚ軸からの角度がθ３の出射光（照明光）の光線ｓ３として上方に出射する。
【００３２】
ここで光線ｓ１は図１０に示す拡散板３からの出射光が角度を変えることなく下プリズムシート４を通過して上プリズムシート１５の下面に入射するものである。よって、光線ｓ１の角度θ１は、拡散シート３の出射光の角度の範囲として、図７（ｂ）に示すように、４５°〜７５°の範囲にあると考えられる。そこで、ここで角度θ１として、それぞれ、４５°、６０°、７５°の場合につき、θ２とθ３の値を（１）式を用いて順次求めると、図１１にも示すように、θ２はそれぞれ２２°、２７°、３０°となり、θ３はそれぞれ―１０°、０°、８°となる。θ３は最終的な照明光の出射角となる（図１１の表を参照）が、０°が輝度のピーク値の角度となり、バックライト２０の正面方向と一致する。そして照明光の角度巾は図７（ｄ）の場合と略同様に０°を中心に左右対象に略１０°以内の範囲にあるので、ベンディングシート７を使用したバックライト１０の場合と同様に照明光の正面方向の輝度を向上することができる。このように、実施例４に係る上プリズムシート１５を用いることにより、ベンディングシート７等のベンディングシートを省いても、最終的には照明光を補正し、ベンディングシートを用いた場合と同様の効果を得ることができる。
【００３３】
なお、本発明に係るバックライトはこれに限らず、必要に応じて上記の変形された上プリズムシート１５と図3に示すベンディングシート７又は図８に示すベンディングシート１７又は図９に示すベンディングシート２７を併用し、効果を高めることもできる。
【実施例５】
【００３４】
以下に本発明の実施例５に係る拡散シートを図面を用いて説明する。図１２は本発明の実施例５に係る拡散シート１３を有するバックライト３０のＸＺ断面を示す図である。バックライト３０は導光板１、ＬＥＤ２、拡散シート１３、ベンディングシート７、下プリズムシート４、上プリズムシート５、反射シート６よりなる。これを図２に示すバックライト１０と比較すると、バックライト１０の拡散シート３を上面にプリズム１３ｐを有する拡散シート１３に置き換えた構成となっている。拡散板シート１３の上面に形成されプリズム１３ｐはベンディングシート７の上面に形成されたプリズム７ｐと略同様の形状をなしている。拡散板シート１３は従来と同様の拡散板シート３（図2参照）よりも、すでに説明したのと略同様の原理により、集光作用を高めることが出来る。このため、図１２に示すバックライト３０においては、ベンディングシート７の集光作用と拡散板シート１３の集光作用が加重されて、導光板１からの出射光の角度の分布が高い方にひどく偏っている場合でも、最終的な照明光の方向を正面方向に補正し、照明光の正面方向の輝度を十分に高めることができる。
【００３５】
なお、本発明に係る拡散シートはこれに限らず、図８に示すベンディングシート１７と同様に下面にプリズムを形成したもの、又は図９に示すベンディングシート２７と同様に両面にプリズムを形成したものとすることもできる。又、かかる拡散シートは上記のベンディングシート７に限らず、図3に示すベンディングシート７又は図８に示すベンディングシート１７又は図９に示すベンディングシート２７を併用して使用することもできる。
【００３６】
これまでに述べてきた実施例１〜実施例５のベンディングシート、上プリズムシート、の拡散シートに設けられたプリズムの傾斜角として１０°のものを例示したが、本発明はこれに限らず、同様の効果を有する緩やかな傾斜角を有するプリズムが設けられたものについても成立するものである。
【図面の簡単な説明】
【００３７】
【図１】本発明の実施例１に係るベンディングシートを有するバックライトの構成を示す斜視図である。
【図２】図１に示すバックライトの構成を示す側面図である。
【図３】本発明の実施例１に係るベンディングシートの構成および作用を示す図である。
【図４】図３に示すベンディングシートの作用を説明するための参考図である。
【図５】図２に示すバックライトの集光作用を示す図である。
【図６】図２に示すバックライトにおける上プリズムシートの部分の集光作用を示す図である。
【図７】図２に示すバックライトの導光板、拡散シート、ベンディングシートおよび上プリズムシートについての、それぞれの出射光の角度の範囲を示す図である。
【図８】本発明の実施例２に係るベンディングシートの構成および作用を示す図である。
【図９】本発明の実施例３に係るベンディングシートの構成および作用を示す図である。
【図１０】本発明の実施例４に係る上プリズムシートを使用したバックライトを示す図である。
【図１１】本発明の実施例４に係る上プリズムシートの構成および作用を示す図である。
【図１２】本発明の実施例５に係る拡散シートを使用したバックライトを示す図である。
【図１３】従来のバックライトの構成を示す斜視図である。
【図１４】図１３に示すバックライトの構成を示す側面図である。
【図１５】屈折における界面に対する入射角と屈折角の関係を示すグラフである。
【図１６】図１３に示すバックライトの上プリズムの集光作用を示す図である。
【図１７】図１３に示すバックライト導光板、拡散シート、および上プリズムシートについての、それぞれの出射光の角度の範囲を示す図である。
【符号の説明】
【００３８】
１  導光板
２  ＬＥＤ
３、１３  拡散シート
４  下プリズムシート
５、１５  上プリズムシート
６  反射シート
７、１７、２７  ベンディングシート  
５ｐ、１５ｐ１、１５ｐ２、７ｐ、１７ｐ、２７ｐ１、２７ｐ２、１３ｐ  プリズム
８  ＬＣＤ
１０、２０，３０  バックライト    
【図１】
2008083230.tif 000003
【図２】
2008083230.tif 000004
【図３】
2008083230.tif 000005
【図４】
2008083230.tif 000006
【図５】
2008083230.tif 000007
【図６】
2008083230.tif 000008
【図７】
2008083230.tif 000009
【図８】
2008083230.tif 000010
【図９】
2008083230.tif 000011
【図１０】
2008083230.tif 000012
【図１１】
2008083230.tif 000013
【図１２】
2008083230.tif 000014
【図１３】
2008083230.tif 000015
【図１４】
2008083230.tif 000016
【図１５】
2008083230.tif 000017
【図１６】
2008083230.tif 000018
【図１７】
2008083230.tif 000019